(57)【特許請求の範囲】
【請求項１】
携帯端末装置と、該携帯端末装置からの検索要求に応じて、該携帯端末装置の発信先のデータベースのジャンル情報を取得し、前記携帯端末装置に検索結果を応答するジャンル情報取得装置とを有するジャンル情報取得システムに使用される携帯端末装置であって、
電話番号入力操作若しくは当該携帯端末装置の検索の結果に応じて表示部に表示したWebページ上の電話番号に対するクリック操作に基づく発信操作に応じて、前記ジャンル情報取得装置に対して、発信先の電話番号を含む検索要求を送信する検索要求送信手段と、該検索要求に対する前記ジャンル情報取得装置からの検索結果を受信する検索結果受信手段と、該検索結果のジャンル情報を含む通話履歴を記録する通話履歴記録手段と、を有し、
Webページ上の電話番号に対するクリック操作に基づく発信操作を行う場合において、前記検索でジャンルを指定した場合は、前記検索要求を行わず、前記ジャンルのジャンル情報を含む通話履歴を前記通話履歴記録手段に記録することを特徴とする携帯端末装置。
【請求項２】
請求項１に記載された携帯端末装置において、
自己の位置を測定する自己位置測定手段を有するとともに、前記通話履歴記録手段は、該自己位置測定手段により測定された位置情報を含む通話履歴を記録することを特徴とする携帯端末装置。
【請求項３】
請求項１又は２に記載された携帯端末装置と、該携帯端末装置からの検索要求に応じて、該携帯端末装置の発信先に対応するデータベースのジャンル情報を検索し、前記携帯端末装置に検索結果を応答するジャンル情報取得装置とを有するジャンル情報取得システムであって、
前記ジャンル情報取得装置は、前記携帯端末装置からの検索要求を受信する検索要求受信手段と、該検索要求に含まれる電話番号に対応するデータベースのジャンル情報を検索するジャンル情報検索手段と、該検索結果のジャンル情報を前記携帯端末装置へ送信する検索結果送信手段とを有する
ことを特徴とするジャンル情報取得システム。
【発明の詳細な説明】
【技術分野】
【０００１】
本発明は、携帯電話機などの携帯端末装置から電話をかけたときに、相手先のジャンル情報を含む通話履歴を記録可能にした携帯端末装置及びジャンル情報取得システムに関する。
【背景技術】
【０００２】
携帯電話機の機能として、通話日時及び相手先の電話番号を関連付けてメモリに保存しておく通話履歴記録機能がある。メモリに保存した通話履歴は読出指示を入力することで、メモリから読み出してディスプレイに表示することができる（特許文献１）。また、予め相手先の電話番号と氏名又は名称を関連付けて電話帳に登録しておけば、通話日時及び相手先の氏名又は名称を通話履歴に保存することもできる。
【０００３】
ところで、例えば地図アプリケーションで検索したWebページや旅行ガイドなどに掲載されている店舗や施設などに電話をかけた場合、そのジャンル（コンビニ、ガソリンスタンド、駐車場など）を示すジャンル情報を通話履歴に記録することができれば、日時とともにジャンルを表示することができるため、ユーザにとっては通話時の状況を思い出すことができるなどの利点がある。
【０００４】
しかしながら、従来の通話履歴記録機能では、日時とともに電話番号又は氏名若しくは名称が記録されるに過ぎず、ジャンル情報は記録されない。ジャンル情報を記録するには、通話の前又は後に相手の電話番号とジャンルとを関連付けて入力する操作が必要となり、手間がかかる。
【先行技術文献】
【特許文献】
【０００５】
【特許文献１】特開平１１−２０５４２３号公報
【発明の概要】
【発明が解決しようとする課題】
【０００６】
本発明は、このような問題を解決するためになされたものであり、その目的は、携帯端末装置から電話をかけたときに、相手のジャンル情報を含む通話履歴を自動的に記録できるようにすることである。
【課題を解決するための手段】
【０００７】
本発明の携帯端末装置は、携帯端末装置と、該携帯端末装置からの検索要求に応じて、該携帯端末装置の発信先のデータベースのジャンル情報を取得し、前記携帯端末装置に検索結果を応答するジャンル情報取得装置とを有するジャンル情報取得システムに使用される携帯端末装置であって、電話番号入力操作若しくは当該携帯端末装置の検索の結果に応じて表示部に表示したWebページ上の電話番号に対するクリック操作に基づく発信操作に応じて、前記ジャンル情報取得装置に対して、発信先の電話番号を含む検索要求を送信する検索要求送信手段と、該検索要求に対する前記ジャンル情報取得装置からの検索結果を受信する検索結果受信手段と、該検索結果のジャンル情報を含む通話履歴を記録する通話履歴記録手段と、を有し、Webページ上の電話番号に対するクリック操作に基づく発信操作を行う場合において、前記検索でジャンルを指定した場合は、前記検索要求を行わず、前記ジャンルのジャンル情報を含む通話履歴を前記通話履歴記録手段に記録することを特徴とする携帯端末装置である。
また、本発明のジャンル情報取得システムは、請求項１又は２に記載された携帯端末装置と、該携帯端末装置からの検索要求に応じて、該携帯端末装置の発信先に対応するデータベースのジャンル情報を検索し、前記携帯端末装置に検索結果を応答するジャンル情報取得装置とを有するジャンル情報取得システムであって、前記ジャンル情報取得装置は、前記携帯端末装置からの検索要求を受信する検索要求受信手段と、該検索要求に含まれる電話番号に対応するデータベースのジャンル情報を検索するジャンル情報検索手段と、該検索結果のジャンル情報を前記携帯端末装置へ送信する検索結果送信手段とを有することを特徴とするジャンル情報取得システムである。
【０００８】
［作用］
本発明によれば、携帯端末装置は、発信操作に応じて、ジャンル情報取得装置に対して、その発信先の電話番号を含む検索要求を送信し、ジャンル情報取得装置は、その検索要求に含まれる電話番号に対応するデータベースのジャンル情報を検索して、検索結果を検索要求元の携帯端末装置に送信し、検索要求元の携帯端末装置は、検索結果のジャンル情報を含む通話履歴を記録する。
【発明の効果】
【０００９】
本発明によれば、携帯端末装置から電話をかけたときに、相手のジャンル情報を含む通話履歴を自動的に記録することができる。
【図面の簡単な説明】
【００１０】
【図１】本発明の実施形態のジャンル情報取得システムを示す図である。
【図２】図１における携帯端末装置のブロック図である。
【図３】図１におけるジャンル情報取得装置のブロック図である。
【図４】図１における携帯端末装置の動作の一例を示すフローチャートである。
【図５】図１におけるジャンル情報取得装置の動作を示すフローチャートである。
【図６】図１における携帯端末装置の動作の別の一例を示すフローチャートである。
【発明を実施するための形態】
【００１１】
以下、本発明を実施するための形態について図面を参照して説明する。
〈ジャンル情報取得システムの構成〉
図１は、本発明の実施形態のジャンル情報取得システムを示す図である。このシステムは、インターネットなどのネットワーク１に接続されるジャンル情報取得サーバ２と、基地局３経由でネットワーク１に接続される携帯端末装置４と、ネットワーク１に接続されるジャンル毎のＤＢ（データベース）５１，５２，５３・・・からなるＤＢ群５とを有する。ここでは、ジャンル毎のＤＢとしてグルメＤＢ５１、コンビニＤＢ５２、及び銀行ＤＢ５３を例示した。携帯端末装置４は携帯電話機、ＰＤＡ（Personal Digital Assistant）、ＰＮＤ（Personal Navigation Device）などである。
【００１２】
携帯端末装置４は、基地局３及びネットワーク１を介してジャンル情報取得サーバ２とデータ通信可能である。また、ネットワーク１に接続されている図示されていない電話機と電話通話可能である。ジャンル情報取得サーバ２は、携帯端末装置４及びＤＢ群５とデータ通信可能である。
【００１３】
〈携帯端末装置の構成〉
図２Ａは携帯端末装置４のブロック図である。この携帯端末装置４は制御部４１、操作部４２、表示部４３、無線通信部４４、位置測定部４５、及び通話履歴記録部４６を備えている。
【００１４】
制御部４１は携帯端末装置４の各部を制御するためのコントローラであり、ＣＰＵ（Central Processing Unit）４１１と、ＲＯＭ（Read Only Memory）４１２と、ＲＡＭ（Random Access Memory）４１３とを備えている。ＣＰＵ４１１はＲＯＭ４１２に記憶されたプログラムをＲＡＭ４１３にロードして実行することで、後述する種々の処理を実現する。
【００１５】
操作部４２は、この携帯端末装置４をユーザが操作するための各種ボタンからなる。表示部４３は、この携帯端末装置４の動作状態や、操作部４２からユーザが入力した情報などを表示するための液晶表示装置などからなる。
【００１６】
無線通信部４４は基地局３との間で無線通信を行うための回路である。無線通信部４４は基地局３を介して、ジャンル情報取得サーバ２に対し、検索要求を送信し、ジャンル情報取得サーバ２からの検索結果を受信する。また、基地局３を介して電話機との間で電話信号の送受を行う。
【００１７】
位置測定部４５は、ＧＰＳ（Global Positioning System）受信機を備えており、一定時間（例えば１秒）毎にＧＰＳ衛星から送信される電波を受信し、現在位置を測定（測位）する。そして、測位情報であるＧＰＳ位置情報、及び測位時刻情報をＧＰＳ情報として制御部４１へ出力する。
【００１８】
通話履歴記録部４６は、携帯端末装置４のユーザが通話を行ったときに、通話日時及び相手先を内部のメモリに保存する。保存する相手先は以下のようになる。図示されていない電話帳に相手先の電話番号及び氏名又は名称が登録されている場合は、その氏名又は名称を保存する。電話帳に氏名又は名称が登録されていない場合は電話番号を保存する。
【００１９】
以上は通常の通話履歴記録動作である。この携帯端末装置４は、ジャンル情報自動記録モードを備えており、そのモードに設定されているときに、ＤＢ群５の各ＤＢ５１，５２，５３・・・の管理者に電話をかけた時、ジャンル情報取得サーバ２に対し、ジャンル情報の検索要求を送信し、検索結果のジャンル情報を電話番号に代えて或いは電話番号とともに通話履歴に記録する。また、位置測定部４５により測定された位置情報を付加することもできる。図２Ｂに記録される通話履歴情報の構造の一例を示す。
【００２０】
〈ジャンル情報取得装置の構成〉
ジャンル情報取得サーバ２は、図３に示すように、制御部２１、通信部２２、及び記憶部２３を備えている。
【００２１】
制御部２１はＣＰＵ２１１、ＲＯＭ２１２、及びＲＡＭ２１３を含み、このジャンル情報取得装置全体の制御などを行う。また、ＣＰＵ２１１は、ＲＯＭ２１２に記憶されたプログラムをＲＡＭ２１３にロードして実行することで、後述する種々の処理を実現する。
【００２２】
通信部２２はネットワーク１及び基地局３を介して携帯端末装置４とデータ通信を行う。また、ＤＢ群５を構成する各ＤＢ５１，５２，５３・・・とデータ通信を行う。
【００２３】
記憶部２３はＨＤＤ（ハードディスク装置）からなり、加入者情報テーブル２３１及び連絡先情報テーブル２３２が設けられている。加入者情報テーブル２３１には、ジャンル情報取得サーバ２が提供するジャンル情報検索サービスの加入者の携帯端末装置４の端末装置ＩＤや氏名などが格納されている。連絡先情報テーブル２３２には、各ＤＢ５１，５２，５３・・・のネットワークアドレスが格納されている。
【００２４】
〈ジャンル情報取得システムの動作〉
以上の構成を有するジャンル情報取得システムの動作について、図４及び図５に示すフローチャートを用いて説明する。ここで、図４は、ジャンル情報自動記録モードに設定されている時の携帯端末装置４の動作の一例であり、図５はジャンル情報取得サーバ２の動作である。
【００２５】
図４に示すように、携帯端末装置４の操作部４２から電話番号が入力され、発信操作が行われると（ステップＳ１）、制御部４１の制御により、無線通信部４４は電話番号の相手先に発信するとともに（ステップＳ２）、ジャンル情報取得サーバ２に対して、その電話番号に対応するＤＢのジャンル情報の検索要求を送信する（ステップＳ３）。この検索要求には、携帯端末装置４の端末装置ＩＤ及び発信先の電話番号が含まれている。
【００２６】
携帯端末装置４は発信先の応答により通話を開始する（ステップＳ４）。その一方で、ジャンル情報取得サーバ２からの検索結果の通知の受信を待つ（ステップＳ５）。
【００２７】
ジャンル情報取得サーバ２では、ジャンル検索要求の受信に応じて、図５に示すフローがスタートする。即ち検索要求を受信したとき、検索要求に含まれている端末装置ＩＤが加入者情報テーブル２３１に登録されているか否かを確認し、登録されていた場合にフローがスタートする。
【００２８】
まず検索要求に含まれている電話番号を基にＤＢ群５を検索し（ステップＳ１１）、その電話番号と一致するジャンルのＤＢが有るか否か判定する（ステップＳ１２）。判定の結果、有った場合は（ステップＳ１２：YES）、連絡先情報テーブル２３２を用いて、そのＤＢのジャンルを特定し、携帯端末装置４に通知する（ステップＳ１３）。無かった場合は（ステップＳ１２：NO）、検索要求に係る電話番号に対応するＤＢが無かったことを携帯端末装置４に通知する（ステップＳ１４）。
【００２９】
図４の説明に戻る。携帯端末装置４は、ジャンル情報取得サーバ２からの検索結果の通知を受信したら（ステップＳ５：YES）、検索結果であるジャンル情報をＲＡＭ４１３により保持する（ステップＳ６）。ただし、通知の内容が検索要求に係る電話番号に対応するＤＢが無かった旨の場合は“ジャンル情報無し”を保持する。
【００３０】
次いで終話になったか否かを判定し（ステップＳ７）、終話になっていたら（ステップＳ８、Ｓ７：YES）、通話開始及び終了日時、相手先の電話番号、並びに検索結果であるジャンル情報（取得できた場合のみ）からなる通話履歴を通話履歴記録部４６により記録し（ステップＳ９）、この図のフローを終える。ここで、通話履歴に位置測定部４５で測定された位置情報を付加することもできる。
【００３１】
以上は携帯端末装置４の操作部４２から相手先の電話番号を入力した場合の動作フローであった。次にWebページ上の電話番号をクリックした場合の携帯端末装置４の動作フローについて図６を用いて説明する。
【００３２】
まず携帯端末装置４が地図アプリケーションなどを用いた検索結果のWeb画面を表示部４３に表示する（ステップＳ２１）。次にこの画面上で操作が行われた場合、発信操作、即ち画面に表示されている電話番号に対するクリック操作であるか否かを判定する（ステップＳ２２）。判定の結果、発信操作ではなかった場合は（ステップＳ２２：NO）、その操作に応じた処理（他の処理）に移行する（ステップＳ２３）。
【００３３】
判定の結果、発信操作であった場合は（ステップＳ２２：YES）、発信を行い（ステップＳ２４）、次いで携帯端末装置４自身でジャンル情報が分かるか否かを判定する（ステップＳ２５）。
【００３４】
ここで、ジャンル情報が分かるか否かは例えば以下のように判定する。例えば検索時にジャンルを指定した場合はジャンルが分かり、指定していない場合はジャンルが分からない。ジャンル情報が分からない場合（ステップＳ２５：NO）の処理であるステップＳ３０〜Ｓ３４は図４のステップＳ３，Ｓ５，Ｓ６，Ｓ７，Ｓ９と同じである。即ちジャンル情報取得サーバ２に検索要求を送信し、検索結果のジャンル情報を取得する。
【００３５】
一方、ジャンル情報が分かる場合（ステップＳ２５：YES）は、ジャンル情報をＲＡＭ４１３により保持しておく（ステップＳ２６）。そして、通話を開始し（ステップＳ２７）、終話（ステップＳ２８）の後に、通話開始及び終了日時、相手先の電話番号、並びにＲＡＭ４１３により保持されているジャンル情報からなる通話履歴を通話履歴記録部４６により記録し（ステップＳ２９）、この図のフローを終える。
【００３６】
以上詳細に説明したように、本実施形態のジャンル情報取得システムによれば、携帯端末装置４は、発信操作に応じて、ジャンル情報取得サーバ２に対して、その発信操作に係る電話番号を伴う検索要求を送信し、ジャンル情報取得サーバ２は、その検索要求に係る電話番号に対応するＤＢのジャンル情報を検索して、検索結果を検索要求元の携帯端末装置４へ応答し、検索要求元の携帯端末装置４は、検索結果のジャンル情報を含む通話履歴を記録するので、携帯端末装置４の発信相手先のジャンル情報を含む通話履歴を自動的に記録することができる。
【００３７】
また、表示部４３に表示されているWebページの電話番号に対するクリック操作により発信を行ったときは、携帯端末装置４自身で発信先のジャンル情報が分かる場合は、そのジャンル情報を用いることにより、ジャンル情報取得サーバ２に対する検索要求を行うことなく、携帯端末装置４の発信先のジャンル情報を含む通話履歴を自動的に記録することができる。
【００３８】
なお、以上の実施形態では、ジャンル情報取得サーバ２は、検索要求された電話番号に対応するＤＢの有無にかかわらず携帯端末装置４に検索結果を通知しているが、有った場合のみ通知するように構成することもできる。この場合、携帯端末装置４では、検索要求から一定時間内に通知が無かったことをもって検索要求された電話番号に対応するＤＢが無かったものと判定する。
【００３９】
また、以上の実施形態では、ジャンルとしてグルメ、コンビニ、及び銀行を例示したが、他にもガソリンスタンド、駐車場、病院、図書館など、様々なジャンルがある。また、例えばグルメのジャンルであれば、和食、洋食、中華などのサブジャンルを通話履歴に記録してもよい。さらに、通話履歴情報をジャンル毎に分類し、分類した通話履歴情報を表示することもできる。
【符号の説明】
【００４０】
２…ジャンル情報取得サーバ、４…携帯端末装置、５…ＤＢ群、２１，４１…制御部、２２…通信部、５１…グルメＤＢ、５２…コンビニＤＢ、５３…銀行ＤＢ、４２…操作部、４３…表示部、４４…無線通信部、４５…位置測定部、４６…通話履歴記録部。
【図１】
0005530782.tif 000002
【図２】
0005530782.tif 000003
【図３】
0005530782.tif 000004
【図４】
0005530782.tif 000005
【図５】
0005530782.tif 000006
【図６】
0005530782.tif 000007